(57)【要約】【課題】湯使用部において生活水として使用する湯を利用して床暖房ができ、また湯を水に切り替えることで床冷房もでき、しかも設備のコストやランニングコストを低減できる床冷暖房装置を提供することを目的とする。【解決手段】浴槽２５への給湯を行うときには、給湯器３１から高温の湯が上流給湯管３３、三方弁３５、冷暖配管３、三方弁３７、及び下流給湯管３９を通って、混合水栓１５へ送られる。また、上水道４３から水が上流給水管４５、三方弁４７、水直通管４９、三方弁５１、及び下流給水管５３を通って、混合水栓１５へ送られる。高温の湯が冷暖配管３の蛇行部５を通過するので、蛇行部５から放熱されて床面Ｆが暖められる。よって、浴槽２５に湯を溜めるだけで床面Ｆを暖めたり、三方弁３５、３７、４７、５１を切り替えてから、浴槽２５に湯を溜めるだけで床面Ｆを冷したりすることができる。【選択図】        図１
2010071506.tif 000002
【特許請求の範囲】
【請求項１】
湯供給源と、前記湯供給源から供給される湯を使用する湯使用部と、水供給源と、前記水供給源から供給される水を使用する水使用部と、建物の床面下に配置される冷暖配管と、前記湯供給源から湯使用部へ供給される湯が前記冷暖配管を通って湯使用部へ供給される湯通過ルートと湯供給源から湯使用部へ供給される湯が前記冷暖配管を通らないで湯使用部へ供給される湯直通ルートとに切り替える湯供給ルート切り替え手段と、前記水供給源から水使用部へ供給される水が前記冷暖配管を通って水使用部へ供給される水通過ルートと水供給源から水使用部へ供給される水が前記冷暖配管を通らないで水使用部へ供給される水直通ルートとに切り替える水供給ルート切り替え手段を備えたことを特徴とする床冷暖房装置。
【請求項２】
請求項１に記載した床冷暖房装置において、湯通過ルートと水通過ルートは択一的に開通されることを特徴とする床冷暖房装置。
【請求項３】
請求項１または２に記載した床冷暖房装置において、湯供給ルート切り替え手段と水供給ルート切り替え手段は三方弁によって構成されていることを特徴とする床冷暖房装置。
【請求項４】
請求項１から３のいずれかに記載した床冷暖房装置において、冷暖配管は浴室の床面下に配されていることを特徴とする床冷暖房装置。
【発明の詳細な説明】
【技術分野】
【０００１】
本発明は床冷暖房装置に係り、特に浴槽等の湯使用部において生活水として使用する湯を利用して床暖房ができ、また湯を水に切り替えることで床冷房もできる床冷暖房装置に関するものである。
【背景技術】
【０００２】
従来、浴室の床面を暖める装置として特許文献１に記載されている浴室用床暖房装置がある。この装置は浴室の床面下に埋設する温水パイプと、水を加熱する加熱ユニットとから成り、前記加熱ユニットで水を加熱することで温水を作り出して、その温水を前記温水パイプに循環させることで浴室の床面を暖める。
【０００３】
しかしながら、上記従来の浴室用床暖房装置は、床暖房だけのためにわざわざ専用機として備えるものであり、この浴室用床暖房装置は専用機であるにもかかわらず、高価な加熱ユニットを有している。
しかも、従来の浴室用床暖房装置は、床暖房にのみ使用するものであるため、冬季を除いては殆ど使用されず、その間は全く無駄なものとなってしまう。
また、この浴室用床暖房装置は加熱ユニットで床暖房のみに用いる湯をわざわざ沸かすため燃料費が嵩んでしまうという問題がある。
【０００４】
【特許文献１】特開平１１−６３５３８号公報
【発明の開示】
【発明が解決しようとする課題】
【０００５】
本発明は、上記従来の問題点に着目して為されたものであり、湯使用部において生活水として使用する湯を利用して床暖房ができ、また湯を水に切り替えることで床冷房もでき、しかも設備のコストやランニングコストを低減できる床冷暖房装置を提供することを目的とする。
【課題を解決するための手段】
【０００６】
本発明は上記課題を解決するためになされたものであり、請求項１の発明は、湯供給源と、前記湯供給源から供給される湯を使用する湯使用部と、水供給源と、前記水供給源から供給される水を使用する水使用部と、建物の床面下に配置される冷暖配管と、前記湯供給源から湯使用部へ供給される湯が前記冷暖配管を通って湯使用部へ供給される湯通過ルートと湯供給源から湯使用部へ供給される湯が前記冷暖配管を通らないで湯使用部へ供給される湯直通ルートとに切り替える湯供給ルート切り替え手段と、前記水供給源から水使用部へ供給される水が前記冷暖配管を通って水使用部へ供給される水通過ルートと水供給源から水使用部へ供給される水が前記冷暖配管を通らないで水使用部へ供給される水直通ルートとに切り替える水供給ルート切り替え手段を備えたことを特徴とする床冷暖房装置である。
【０００７】
請求項２の発明は、請求項１に記載した床冷暖房装置において、湯通過ルートと水通過ルートは択一的に開通されることを特徴とする床冷暖房装置である。
【０００８】
請求項３の発明は、請求項１または２に記載した床冷暖房装置において、湯供給ルート切り替え手段と水供給ルート切り替え手段は三方弁によって構成されていることを特徴とする床冷暖房装置である。
【０００９】
請求項４の発明は、請求項１から３のいずれかに記載した床冷暖房装置において、冷暖配管は浴室の床面下に配されていることを特徴とする床冷暖房装置である。
【発明の効果】
【００１０】
本発明の床冷暖房装置によれば、湯使用部において生活水として使用する湯を床面下に配置された冷暖配管に通すことで床暖房ができ、また湯を水に切り替えることで床冷房もできる。しかも、湯を沸かす設備は、生活水として使用する湯を沸かす設備と兼用することができるため設備のコストを低減でき、床暖房・床冷房に用いた湯・水は、その後に湯使用部・水使用部において使用することができるためランニングコストを低減できる。
【発明を実施するための最良の形態】
【００１１】
図１から図４に従って本発明の実施の形態に係る床冷暖房装置１を説明する。
符号３は冷暖配管を示し、この冷暖配管３は屈曲自在であり、途中部分には施工場所に応じた大きさ、形状の蛇行部５が形成される。蛇行部５は、図３に示すように浴室７の床面Ｆ下に配置されている。
図４は、冷暖配管３が配置されている浴室７の床の断面図を示す。
地面Ｇの上に冷暖配管３の蛇行部５が配置されており、蛇行部５はモルタル１１によって埋設された状態となっている。モルタル１１の上には御影石１３が敷き詰められた状態となっている。
【００１２】
図３において符号１５は混合水栓を示し、この混合水栓１５は浴室７の壁Ｗに取り付けられて、後述する下流給湯管３９の一端と下流給水管５３の一端とに接続されている。混合水栓１５は、湯量調節摘み１７と水量調節摘み１９と混合部２１と吐水管２３とを有している。混合部２１には、湯量調節摘み１７と水量調節摘み１９とによって流入量が調節された湯と水が流入するようになっている。吐水管２３の一端は混合部２１に接続されており、吐水管２３の他端は湯使用部と水使用部としての浴槽２５の上方に設けられている。
【００１３】
符号３１は湯供給源としての給湯器を示す。この給湯器３１は上流給湯管３３の一端と接続されており、上流給湯管３３の他端は三方弁３５に接続されている。三方弁３５は冷暖配管３の一端と接続されており、冷暖配管３の他端は三方弁３７に接続されている。三方弁３７は下流給湯管３９の一端と接続されており、既述のように下流給湯管３９の他端は混合水栓１５と接続されている。湯供給ルート切り替え手段は三方弁３５、３７によって構成されている。
符号４１は湯直通管を示し、この湯直通管４１の一端は三方弁３５に接続されており、湯直通管４１の他端は三方弁３７に接続されている。
【００１４】
符号４３は水供給源としての上水道を示す。この上水道４３は上流給水管４５の一端と接続されており、上流給水管４５の他端は三方弁４７と接続されている。三方弁４７は水直通管４９の一端と接続されており、水直通管４９の他端は三方弁５１と接続されている。三方弁５１は下流給水管５３の一端と接続されており、既述のように下流給水管５３の他端は混合水栓１５と接続されている。水供給ルート切り替え手段は三方弁４７、５１によって構成されている。
【００１５】
符号５５、５７は水連絡管を示す。水連絡管５５の一端は三方弁４７に接続されており、水連絡管５５の他端は冷暖配管３の三方弁３５と蛇行部５との間に接続されている。水連絡管５７の一端は冷暖配管３の三方弁３７と蛇行部５との間に接続されており、水連絡管５７の他端は三方弁５１に接続されている。
符号５９は給水連絡管を示す。給水連絡管５９の一端は上流給水管４５の途中に接続されており、給水連絡管５９の他端は給湯器３１に接続されている。
【００１６】
次に床冷暖房装置１の動作について説明する。
初めに床面Ｆを暖める動作について説明する。
まず、床面Ｆを暖めるためには、湯供給ルート切り替え手段としての三方弁３５、３７及び水供給ルート切り替え手段としての三方弁４７、５１を次の状態に切り替える。
三方弁３５を、上流給湯管３３と冷暖配管３とが連通し、上流給湯管３３と湯直通管４１とが閉鎖される状態に切り替える。
三方弁３７を、冷暖配管３と下流給湯管３９とが連通し、湯直通管４１と下流給湯管３９とが閉鎖される状態に切り替える。
上記のように三方弁３５、３７を切り替えた状態において、上流給湯管３３、三方弁３５、冷暖配管３、三方弁３７、下流給湯管３９によって湯通過ルートが形成される。
三方弁４７を、上流給水管４５と水直通管４９とが連通し、上流給水管４５と水連絡管５５とが閉鎖される状態に切り替える。
三方弁５１を、水直通管４９と下流給水管５３とが連通し、水直通管４９と水連絡管５７とが閉鎖される状態に切り替える。
上記のように三方弁４７、５１を切り替えた状態において、上流給水管４５、三方弁４７、水直通管４９、三方弁５１、下流給水管５３によって水直通ルートが形成される。
【００１７】
そして、混合水栓１５の湯量調節摘み１７と水量調節摘み１９を回して、高温の湯と水を混合して適温となった温湯を吐水管２３から吐出させて浴槽２５へ供給する。
上記のように浴槽２５への給湯を行うときには、図１に示すように給湯器３１から高温の湯が上流給湯管３３、三方弁３５、冷暖配管３、三方弁３７及び下流給湯管３９を通って、混合水栓１５へ送られる。また、上水道４３から水が上流給水管４５、三方弁４７、水直通管４９、三方弁５１及び下流給水管５３を通って、混合水栓１５へ送られる。
上記のように高温の湯が冷暖配管３の蛇行部５を通過するので、蛇行部５から放熱されて床面Ｆが暖められる。
【００１８】
次に床面Ｆを冷す動作について説明する。
まず、床面Ｆを冷すためには、湯供給ルート切り替え手段としての三方弁３５、３７及び水供給ルート切り替え手段としての三方弁４７、５１を次の状態に切り替える。
三方弁３５を、上流給湯管３３と湯直通管４１とが連通し、上流給湯管３３と冷暖配管３とが閉鎖される状態に切り替える。
三方弁３７を、湯直通管４１と下流給湯管３９とが連通し、冷暖配管３と下流給湯管３９とが閉鎖される状態に切り替える。
上記のように三方弁３５、３７を切り替えた状態において、上流給湯管３３、三方弁３５、湯直通管４１、三方弁３７、下流給湯管３９によって湯直通ルートが形成される。
三方弁４７を、上流給水管４５と水連絡管５５とが連通し、上流給水管４５と水直通管４９とが閉鎖される状態に切り替える。
三方弁５１を、水連絡管５７と下流給水管５３とが連通し、水直通管４９と下流給水管５３とが閉鎖される状態に切り替える。
上記のように三方弁４７、５１を切り替えた状態において、上流給水管４５、三方弁４７、水連絡管５５、冷暖配管３、水連絡管５７、三方弁５１、下流給水管５３によって水通過ルートが形成される。
このように湯通過ルートと水通過ルートとを択一的に開通させることができる。
【００１９】
そして、混合水栓１５の湯量調節摘み１７と水量調節摘み１９を回して、高温の湯と水を混合して適温となった温湯を吐水管２３から吐出させて浴槽２５へ供給する。
上記のように浴槽２５への給湯を行うときには、図２に示すように給湯器３１から高温の湯が上流給湯管３３、三方弁３５、湯直通管４１、三方弁３７、及び下流給湯管３９を通って、混合水栓１５へ送られる。また、上水道４３から水が上流給水管４５、三方弁４７、水連絡管５５、冷暖配管３、水連絡管５７、三方弁５１、及び下流給水管５３を通って、混合水栓１５へ送られる。
上記のように水が冷暖配管３の蛇行部５を通過するので、床面Ｆが冷される。
【００２０】
よって、浴槽２５に湯を溜めるだけで床面Ｆを暖めたり、三方弁３５、３７、４７、５１を切り替えてから、浴槽２５に湯を溜めるだけで床面Ｆを冷したりすることができる。即ち、湯供給ルートと水供給ルートを切り替えてから、湯使用部・水使用部において生活水を使用するだけで冬季には床暖房ができ、夏季には床冷房ができる。
なお、床冷暖房装置を使用しないときは、三方弁３５、３７、４７、５１を既述の湯直通ルート及び水直通ルートとなる状態に切り替えて、床冷暖房装置を停止する。
【００２１】
以上、本発明の実施の形態について詳述してきたが、具体的構成は、この実施の形態に限られるものではなく、本発明の要旨を逸脱しない範囲における設計の変更などがあっても発明に含まれる。
上記実施の形態は、冷暖配管を浴室の床面下に配置したが、脱衣室や台所等の床面下に配置してもよい。また、湯使用部と水使用部を浴槽としたが、洗面化粧台の洗面槽や台所の流し台等であってもよい。
上記実施の形態は、湯供給ルート切り替え手段と水供給ルート切り替え手段としての三方弁を夫々切り替えたが、連動して切り替わるようにしてもよい。また三方弁の切り替え手段は、手動により三方弁を切り替えてもよく、電動弁・電磁弁等の駆動力を用いた三方弁で切り替えてもよい。
上記実施の形態は、湯供給源を給湯器としたが、温泉であってもよい。また水供給源を上水道としたが、貯水槽や井戸であってもよい。
【産業上の利用可能性】
【００２２】
本発明の冷暖房装置は、家屋や公衆浴場やプール施設等の床面を暖めたり、冷したりするのに利用可能である。
【図面の簡単な説明】
【００２３】
【図１】本発明の実施の形態に係る床冷暖房装置の床暖房時においての湯通過ルート及び水直通ルート図である。
【図２】本発明の実施の形態に係る床冷暖房装置の床冷房時においての湯直通ルート及び水通過ルート図である。
【図３】床面下に蛇行部が配置されている浴室の斜視図である。
【図４】冷暖配管が配置されている浴室の床の断面図
【符号の説明】
【００２４】
１  ・・・  床冷暖房装置        ３  ・・・  冷暖配管
５  ・・・  蛇行部              ７  ・・・  浴室
１１  ・・・  モルタル          １３  ・・・  御影石
１５  ・・・  混合水栓          ２５  ・・・  浴槽
３１  ・・・  給湯器            ３３  ・・・  上流給湯管
３５、３７  ・・・  三方弁      ３９  ・・・  下流給湯管
４１  ・・・  湯直通管          ４３  ・・・  上水道
４５  ・・・  上流給水管        ４７、５１  ・・・  三方弁
４９  ・・・  水直通管          ５３  ・・・  下流給水管
５５、５７  ・・・  水連絡管    ５９  ・・・  給水連絡管
Ｆ  ・・・  床面                Ｇ  ・・・  地面
Ｗ  ・・・  壁
【図１】
2010071506.tif 000003
【図２】
2010071506.tif 000004
【図３】
2010071506.tif 000005
【図４】
2010071506.tif 000006